(57)【特許請求の範囲】
【請求項１】
処理水槽（１）にろ材を張設したドラム（１０）を回転自在に配設し、ドラム（１０）の内部に原水を供給して分離液を処理水槽（１）に排出し、ろ材面に捕捉したし渣などの固形分をドラム（１０）とともに上方に移送させ、捕捉した固形分をドラム（１０）の内部に設けたトラフ（４３）に落下させて外部に取出すロータリースクリーンにおいて、上記ドラム（１０）の内周面に摺接させたスクレーパー（１８）を駆動手段に連結し、スクレーパー（１８）をドラム（１０）よりも速い速度でドラム（１０）と同方向に差速回転させて、ドラム（１０）のろ材面から掻き取って集積した固形分をトラフ（４３）に落下させることを特徴とするし渣スクリーンの掻取方法。
【請求項２】
処理水槽（１）にろ材を張設したドラム（１０）を回転自在に配設し、ドラム（１０）の内部に原水を供給して分離液を処理水槽（１）に排出し、ろ材面に捕捉したし渣などの固形分をドラム（１０）とともに上方に移送させ、捕捉した固形分をドラム（１０）の内部に設けたトラフ（４３）に落下させて外部に取出すロータリースクリーンにおいて、上記ドラム（１０）を処理水槽（１）とトラフ（４３）に連結した洗浄排水管（９）とで支架させ、ドラム（１０）の内周面に当接させたスクレーパー（１８）を洗浄排水管（９）に支架させると共に、ドラム（１０）とスクレーパー（１８）を駆動手段に連結して、スクレーパー（１８）をドラム（１０）よりも速い速度でドラム（１０）と同方向に差速回転させることを特徴とするし渣スクリーンの掻取装置。
【請求項３】
上記ドラム（１０）の一端にドラム駆動リング（１１）を連結し、このドラム駆動リング（１１）を処理水槽（１）に軸支させたキャスター（１６）で支架させ、ドラム（１０）の他端を洗浄排水管（９）に軸支させて、ドラム（１０）の内周面に摺接させたスクレーパー（１８）を洗浄排水管（９）に支架させると共に、流入側の洗浄排水管（９）に軸支したスクレーパー駆動リング（２０）にスクレーパー（１８）を連結して、ドラム駆動リング（１１）とスクレーパー駆動リング（２０）を駆動機（３９）に連動連結したことを特徴とする請求項２に記載のし渣スクリーンの掻取装置。
【請求項４】
上記ドラム駆動リング（１１）とスクレーパー駆動リング（２０）の外周部にそれぞれ円環状のラック（３１、３３）を嵌着し、ドラム駆動リング（１１）の外周部にドラム駆動用のピニオン（３２）を噛合せ、スクレーパー駆動リング（２０）の外周部にスクレーパー駆動用のピニオン（３４）を噛合せると共に、ドラム駆動リング（１１）とドラム駆動用のピニオン（３２）の噛合比を、スクレーパー駆動リング（２０）とスクレーパー駆動用のピニオン（３４）の噛合比よりも大きくしたことを特徴とする請求項３に記載のし渣スクリーンの掻取装置。
【請求項５】
上記ドラム駆動リング（１１）とスクレーパー駆動リング（２０）の外周部にそれぞれチェーン（３５、３７）を嵌着し、ドラム駆動リング（１１）の外周部にドラム駆動用のスプロケット（３６）を噛合せ、スクレーパー駆動リング（２０）の外周部にスクレーパー駆動用のスプロケット（３８）を噛合せると共に、ドラム駆動リング（１１）とドラム駆動用のスプロケット（３６）の噛合比を、スクレーパー駆動リング（２０）とスクレーパー駆動用のスプロケット（３８）の噛合比よりも大きくしたことを特徴とする請求項３に記載のし渣スクリーンの掻取装置。
【請求項６】
上記ドラム駆動リング（１１）のピニオン（３２）またはスプロケット（３６）とスクレーパー駆動リング（２０）のピニオン（３４）またはスプロケット（３８）を並列した従動軸（２６、２７）にそれぞれ嵌着すると共に、従動軸（２６、２７）に嵌着した中間スプロケット（２８、２９）を連結し、更に、従動軸（２６）に嵌着した従動スプロケット（４０）を駆動機（３９）に連動連結したことを特徴とする請求項３または５に記載のし渣スクリーンの掻取装置。
【請求項７】
上記ドラム（１０）に張設したろ材をウエッジワイヤー（４２）で構成し、このウエッジワイヤー（４２）のスリットをドラム（１０）の円周方向に配列し、縮少開口したスリット面をドラム（１０）の内周面に設けたことを特徴とする請求項３乃至６の何れか１項に記載のし渣スクリーンの掻取装置。
【請求項８】
上記ドラム（１０）の回転上昇側の上方にトラフ（４３）に向かって洗浄水管（４４）を対設させたことを特徴とする請求項２乃至７の何れか１項に記載のし渣スクリーンの掻取装置。
【発明の詳細な説明】
【０００１】
【発明の属する技術分野】
この発明は、産業排水、工業用水あるいは下水等のし渣や浮遊物の除去に用いるロータリースクリーンに関し、特に、し渣スクリーンの掻取方法とその装置の改良に関する。
【０００２】
【従来の技術】
従来、処理水槽に浸漬させたドラムに金属網を張設し、ドラムの内部に原水を導入してろ過ドラム内外の液面差により処理水を金属網に通過させ、ドラムを回転させてろ材面に捕捉したし渣などの固形分をドラム内部のトラフに排出する固液分離装置はよく知られている。そして、ろ過ドラムで捕捉した固形分をトラフに落下させる手段として、ドラムの回転方向の上流側の外側に回収スプレイと、下流側の内側に洗浄スプレイを配設したロータリースクリーンは、例えば、実公平４−６８０７号公報に記載してあるように公知である。
【０００３】
【発明が解決しようとする課題】
しかしながら、上記従来のドラムの内外面にスプレイを設けた装置は、捕捉した固形分の剥離に有効な手段であるが、ろ材面に絡み付いた繊維状の固形分の剥離が困難であり、洗浄水も多量に必要としていた。この発明は、ろ材面に絡み付いた繊維物を取除きながらろ材面の再生を行って、補助的に少量の洗浄水でろ材面に付着する残滓さなども洗浄できるし渣スクリーンの掻取装置を提供する。
【０００４】
【課題を解決するための手段】
この発明の要旨は、処理水槽にろ材を張設したドラムを回転自在に配設し、ドラムの内部に原水を供給して分離液を処理水槽に排出し、ろ材面に捕捉したし渣などの固形分をドラムとともに上方に移送させ、捕捉した固形分をドラムの内部に設けたトラフに落下させて外部に排出するロータリースクリーンにおいて、上記ドラムの内周面に摺接させたスクレーパーを駆動手段に連結し、スクレーパーをドラムよりも速い速度でドラムと同方向に差速回転させて、ドラムのろ材面から掻き取って集積した固形分をトラフに落下させるロータリースクリーンにおけるし渣の掻取方法である。
【０００５】
し渣の掻取方法を実施するための掻取装置が、ドラムを処理水槽とトラフに連結した洗浄排水管とで支架させ、ドラムの内周面に当接させたスクレーパーを洗浄排水管に支架させると共に、ドラムとスクレーパーを駆動手段に連結して、スクレーパーをドラムよりも速い速度でドラムと同方向に差速回転させるもので、ドラムのろ材面で捕捉してドラムとともに上方に移動するし渣などの固形分を、ドラムの内周面に摺接させたスクレーパーでドラムよりも速い速度でろ材面から掻き取りながらドラム上方に移動させ、集積した固形分をトラフに落下させるものである。同時に、洗浄水では除去できないドラムのろ材に絡み付いた繊維なども掻き取って、ろ材面の再生も行えるものである。
【０００６】
ドラムとスクレーパーの具体的な支持機構が、ドラムの一端にドラム駆動リングを連結し、このドラム駆動リングを処理水槽に軸支させたキャスターで支架させ、ドラムの他端を洗浄排水管に軸支させて、ドラムのろ材面に摺接させたスクレーパーを洗浄排水管に支架させると共に、流入側の洗浄排水管に軸支したスクレーパー駆動リングにスクレーパーを連結して、ドラム駆動リングとスクレーパー駆動リングを駆動機に連動連結して、スクレーパー駆動リングをドラム駆動リングよりも速く同方向に微速回転させるもので、スクレーパーはドラムと同方向に回転し、少しの回転差速でろ材面から固形分を掻き落とすのでドラムに張設したろ材の摩耗が少なくなるものである。
【０００７】
差速回転の具体的手段は、ドラム駆動リングとスクレーパー駆動リングの外周部にそれぞれ円環状のラックを嵌着し、ドラム駆動リングの外周部にドラム駆動用のピニオンを噛合せ、スクレーパー駆動リングの外周部にスクレーパー駆動用のピニオンを噛合せると共に、ドラム駆動リングとドラム駆動用のピニオンの噛合比を、スクレーパー駆動リングとスクレーパー駆動用のピニオンの噛合比よりも大きくしたものである。なお、小型のロータリースクリーンにあっては、ドラム駆動リングとスクレーパー駆動リングの外周部にそれぞれチェーンを嵌着し、ドラム駆動リングの外周部にドラム駆動用のスプロケットを噛合せ、スクレーパー駆動リングの外周部にスクレーパー駆動用のスプロケットを噛合せてもよいものである。そして、ドラム駆動リングのピニオンまたはスプロケットとスクレーパー駆動リングのピニオンまたはスプロケットを並列した従動軸にそれぞれ嵌着すると共に、従動軸に嵌着した中間スプロケットを連結し、更に、従動軸に嵌着した従動スプロケットを駆動機に連動連結したものである。
【０００８】
ドラムに張設したろ材をウエッジワイヤーで構成し、このウエッジワイヤーのスリットをドラムの円周方向に配列し縮少開口したスリット面をドラムの内周面に設けたもので、スクレーパーの回転方向にウエッジワイヤーのスリットが配設され、捕捉した固形分がウエッジワイヤーのスリットに沿って掻き取られ、スリットの目に押込むことがなく排出されるものである。ドラムの回転上昇側の上方にトラフに向って洗浄水管を対設させれば、スクレーパーで掻き取った固形分はろ材面に絡み付いた繊維物も除去されて、補助的に少量の洗浄水でろ材面に付着する残滓さなども洗浄でき、ろ材面の再生が行えるものである。
【０００９】
【発明の実施の形態】
この発明に係る装置は上記のように構成してあり、ろ過対象原液をドラム内部に供給すると、ドラムと処理水槽の原水側と分離水側の水位差によりドラムに張設したウエッジワイヤーから分離水が排出され、し渣等の固形分がドラムの内周面に捕捉される。ドラムの回転とともに水面上に移動するウエッジワイヤーのスリット面に固形分が載置され、ドラムよりも僅かに速く回転するスクレーパーが、ウエッジワイヤーのスリットに沿ってそのろ材面を摺接し、固形分を掻き取りながら上昇して固形分を集積する。スクレーパーは、スリットに絡み付いた繊維等も掻き取ってろ材面を再生し、ドラムの上方に移動してきた集積物は、その自重でトラフ内に落下する。ドラムに付着する残渣は、ドラム上方から噴射する洗浄水で分離され、ウエッジワイヤーのスリットの間に付着する微細な固形分も洗い流す。し渣等の固形分を剥離したドラムは降下して処理水槽に没水し、再び、原水からし渣などの固形分を分離する。
【００１０】
【実施例】
この発明に係るし渣スクリーンの掻取装置について、図面に基づき詳述すると、先ず、図１はロータリースクリーンの縦断側面図であって、処理水槽１に槽底から立設した流入板２と越流板３で仕切られて、原液供給管４を連結した原水室５と処理水管６を連結した処理水室７に分割し、流入板２と越流板３の間の中央部を分離室８としてある。処理水槽１の流入側の前壁と処理水槽１内に立設した越流板３に洗浄排水管９が支架してあり、この洗浄排水管９が円筒状のドラム１０の内部に挿通してある。このドラム１０の流入側が開放してあり、ドラムの開放端の外周側面に断面がコの字形をした円環状のドラム駆動リング１１が嵌着してある。処理水槽１に立設した流入板２にドラム駆動リング１１の方向に円環状に延設したシールフェルト１３が止着してあり、シールフェルト１３がドラム駆動リング１１のコの字状内周面に摺接させて、原水室５と分離室８との間をシールしてある。流入板２の上部にはドラム１０の内部に連通する切り欠きが設けてあり、原水供給管４から原水室５に供給した原水をドラム１０の内部に流入させるようにしてある。
【００１１】
図２に示すように、処理水槽１の上部の両側壁から延設した台車サポート１４、１４に止着した取付け架台１５、１５にキャスター１６、１６が載置してあり、このキャスター１６でドラム１０に連結したドラム駆動リング１１の内周面を支架してある。図１に示すように、ドラム１０の流出側はドラムボス１７で閉塞し、ドラムボス１７の中心部を洗浄排水管９に軸支してあり、処理水槽１と洗浄排水管９とでドラム１０を回転可能に支架してある。ドラム１０の内部にスクレーパー１８が配設してあり、スクレーパー１８の支持アーム１９が洗浄排水管９に軸支してある。円環状のスクレーパー駆動リング２０が洗浄排水管９に軸支されて原水室５に配設してある。図２に示すように、スクレーパー駆動リング２０が中心部のスリーブ２１に複数本のリングアーム２２…に支架されており、流入側のスクレーパー１８の支持アーム１９とスクレーパー駆動リング２０のスリーブ２１が、複数のサポート２３で連結してある。図３に示すように、スクレーパー１８とスクレーパー駆動リング２０が洗浄排水管９に支架されて、一緒に回転してドラム１０の内周面を摺接させるようにしてある。
【００１２】
図４はドラムとスクレーパーの駆動装置であって、処理水槽１の上部に掛け渡した架台２４に一対の軸受２５、２５で軸支したドラム駆動用の従動軸２６とスクレーパー駆動用の従動軸２７が処理水槽１の前後方向に並列してあり、この従動軸２６、２７に嵌入した一対の中間スプロケット２８、２９にチェーン３０が巻き掛けて、ドラム駆動用の従動軸２６とスクレーパー駆動用の従動軸２７を同方向に回転させるようにしてある。ドラム駆動リング１１の周部に円環状のラック３１が嵌着してあり、このラック３１に従動軸２６に嵌入したピニオン３２が噛合せてある。また、スクレーパー駆動リング２０の周部にも
円環状のラック３３が嵌着してあり、このラック３３に従動軸２７に嵌入したピニオン３４が噛合せてある。なお、小型のロータリースクリーンにあっては、ドラム１０とスクレーパー１８の駆動装置は、図５に示すように、ドラム駆動リング１１の周部にチェーン３５が嵌着してあり、このチェーン３５に従動軸２６に嵌入したスプロケット３６が噛合せてある。また、スクレーパー駆動リング２０の周部にもチェーン３７が嵌着してあり、このチェーン３７に従動軸２７に嵌入したスプロケット３８が噛合せれば、簡単な構造の駆動装置となるものである。
【００１３】
図４に示すように、処理水槽１の上部に配設した駆動機３９がドラム駆動用の従動軸２６に嵌入した従動スプロケット４０にチェーン４１が巻き掛けてあり、駆動機３９の駆動力を従動軸２６、２７を介してドラム駆動リング１１とスクレーパー駆動リング２０に伝達し、ドラム１０とスクレーパー１８を同方向に回転させるようにしてある。この発明の実施例では、ドラム駆動リング１１とスクレーパー駆動リング２０の外径を等しくし、スクレーパー駆動用のピニオン３４をドラム駆動用のピニオン３２より大きくしてあり、スクレーパー駆動リング２０の回転をドラム駆動リング１１の回転よりも速くしてある。ドラム１０の内周面に摺接するスクレーパー１８をドラム１０の回転と同方向で、僅かに速い速度で回転させるようにしてあり、差速回転させるスクレーパーの速度が遅いので、ろ材の摩耗が少なくなるものである。なお、ドラム駆動リング１１の外径をスクレーパー駆動リング２０の外径よりも大きくしても、あるいは、ドラム駆動用の従動軸２６に嵌入した中間スプロケット２８をスクレーパー駆動用の従動軸２７に嵌入した中間スプロケット２９よりも大きくしても、同方向に差速回転が可能となるものである。
【００１４】
図１に示すように、ドラム１０の周面にウエッジワイヤー４２が張設してあり、このウエッジワイヤー４２のスリットをドラム１０の円周方向に配列し縮少開口したスリット面をドラム１０の内部に設けてある。ウエッジワイヤー４２で捕捉したし渣などの固形分をスリットに沿ってスクレーパー１８で掻き上げるようにしてあり、摩擦抵抗を少なくして、し渣等がスリットの目に押込むことがないようにしてある。なお、ドラム１０に張設するろ材をパンチングメタルとしても、金属ろ材であり剥離性が良いものである。ドラム１０の内部の上方に配設したトラフ４３が洗浄排水管９に連結してあり、スクレーパー１８で掻き上げて集積したし渣などの固形分をトラフ４３に落下させ、洗浄排水管９に排出させるようにしてある。
【００１５】
ドラム１０の回転上昇側の上方にトラフ４３に向かって洗浄水管４４が対設してあり、固形分をトラフ４３に落下させた後のドラム１０に付着する残渣を、ドラム１０の上方から噴射する洗浄水で分離させ、ウエッジワイヤー４２のスリットの間に付着する微細な固形分を洗い流すようにしてある。洗浄水管４４から分岐させて注水ノズル４５が洗浄排水管９の後端部に連結してあり、洗浄排水管９に排出した固形分を水流で押流して処理水槽１の外部へ押流すようにしてある。この排出手段は洗浄排水管９にスクリューコンベアーを設けてもよいものである。洗浄排水管９の後端部を支持させた越流板３にセキ板４６が設けてあり、原水室５と分離室８の水位差を調節し、原水供給管４から原水室５に供給した原水をドラム１０の内部に流入させ、ドラム１０内部と分離室８の水位差により分離水を排出し、越流板３のセキ板４６を越流させて、分離水を分離室８から処理水室７に送り出し、処理水管６から抜出すようにしてある。
【００１６】
【発明の効果】
以上のように、この発明のロータリースクリーンに係るし渣スクリーンの掻取方法並びに掻取装置は、ドラムの内周面に摺接させたスクレーパーをドラムの回転よりも速い速度でドラムと同方向に差速回転させて、ドラムのろ材面から掻き取って固形分を集積させるもので、ろ材面に絡み付いた繊維物を取除きながらろ材面の再生ができるものである。即ち、従来のドラムの内外面に洗浄管を設けた装置は、ろ材面に絡み付いた繊維状の固形分の剥離が困難であり、洗浄水も多量に必要となるものであるが、この発明にあっては、ドラムを処理水槽とトラフに連結した洗浄排水管とで支架させ、ドラムの内周面に当接させたスクレーパーを洗浄排水管に支架させて、スクレーパーをドラムよりも速い速度でドラムと同方向に差速回転させるもので、スクレーパーでし渣などの固形分をドラムのろ材面から掻き取りながらドラム上方に移動させ、集積した固形分をトラフに落下させ、洗浄水では除去できないろ材面に絡み付いた繊維なども掻き取って、ろ材面の再生も行なうものである。
【００１７】
ドラムに連結したドラム駆動リングとスクレーパーに連結したスクレーパー駆動リングを駆動機に連動連結して、スクレーパー駆動リングをドラム駆動リングよりも速く同方向に回転させるもので、スクレーパーはドラムと同方向に回転し、回転差速でろ材面から固形分を掻き落とせるものである。この差速回転手段が、ドラム駆動リングとドラム駆動ギャーの噛合比を、スクレーパー駆動リングとスクレーパー駆動ギャーの噛合比よりも大きくして差速回転させるもので、スクレーパーはドラムと同方向に微速回転し、少しの回転差速でろ材面から固形分を掻き落とすのでドラムに張設したろ材の摩耗が少なくなるものである。
【００１８】
ドラムに張設したウエッジワイヤーのスリットをドラムの円周方向に配列したので、捕捉した固形分がウエッジワイヤーのスリットに沿って掻き取られ、スリットの目に押込むことがなく排出されるものである。また、ドラムの回転上昇側の上方にトラフに向って洗浄水管を対設したので、補助的に少量の洗浄水でろ材面に付着する残滓さなども洗浄でき、ろ材面の再生が行えるものである。
【図面の簡単な説明】
【図１】この発明に係るし渣スクリーンの掻取装置を配設したロータリースクリーンの縦断側面図である。
【図２】図１のＡ−Ａ線に沿って切断面したドラム駆動リングの正面図である。
【図３】図１のＢ−Ｂ線に沿って切断面したドラムに摺接させたスクレーパーの正面図である。
【図４】この発明に係るドラムとスクレーパーの駆動装置の平面図である。
【図５】同じく、駆動装置の他の実施例の平面図である。
【符号の説明】
１  処理水槽
９  洗浄排水管
１０  ドラム
１１  ドラム駆動リング
１６  キャスター
１８  スクレーパー
２０  スクレーパー駆動リング
２６、２７  従動軸
２８，２９  中間スプロケット
３１、３３  ラック
３２、３４  ピニオン
３５、３７  チェーン
３６、３８  スプロケット
３９  駆動機
４０  従動スプロケット
４２  ウエッジワイヤー
４３  トラフ
４４  洗浄水管
【図１】
0003755148.tif 000002
【図２】
0003755148.tif 000003
【図３】
0003755148.tif 000004
【図４】
0003755148.tif 000005
【図５】
0003755148.tif 000006